(57)【特許請求の範囲】
【請求項１】
蒸気通路の途中に設けた弁座部材に弁孔が形成され、その弁孔の上に該弁孔の周りに形成された案内リブにより該弁孔を閉塞する安定位置にあるように調圧ボールを載せ、その調圧ボールの自重と蒸気圧力とのバランスにより炊飯器の内部圧力を所定の圧力に設定する調圧装置を設けてなる炊飯器において、上記調圧装置に取付けた制振部材の一部を上記の調圧ボールに接触又は接近させ、該調圧ボールが振動した場合に上記制振部材に当接してその振動が抑制されるようにしたことを特徴とする炊飯器。
【請求項２】
上記の調圧装置は、上記の調圧ボールを収納する調圧室カバーを有し、上記制振部材をゴム部材により形成し、該制振部材を上記調圧室カバーに取付けたことを特徴とする請求項１に記載の炊飯器。
【発明の詳細な説明】
【技術分野】
【０００１】
この発明は炊飯ジャー等の炊飯器に関し、特に調圧ボールの制振構造に関するものである。
【背景技術】
【０００２】
圧力型の炊飯器においては、蒸気通路の途中に調圧装置を設けて炊飯器の内部圧力を所定の加圧状態に設定するようにしている。この調圧装置は、蒸気通路の途中に設けた弁孔上に調圧ボールを載せ、その自重と弁孔部分に作用する蒸気圧力とをバランスさせて調圧作用を行うものである（特許文献１参照）。この調圧作用は、蒸気圧力が上昇して調圧ボールの自重を越えると、これを押しのけて弁孔を開放し、蒸気を排出させる。蒸気の排出により蒸気圧力が低下すると調圧ボールが元の状態に戻り弁孔を閉塞する。そうすると、再び蒸気圧力が上昇するという作用を繰り返すものである。
【特許文献１】特開平１１−２６７０１５号公報（段落００１４、００１５）
【発明の開示】
【発明が解決しようとする課題】
【０００３】
しかし、調圧ボールは所要の自重を得るために、金属、セラミック等の硬質材により形成されているため、上記の調圧作用により激しく振動して、弁座部材等に繰り返し衝突することにより騒音発生の原因となる。
【０００４】
そこで、この発明は上記の調圧ボールの振動を抑制することにより騒音を減衰させ、静かに炊飯できるようにすることを課題とする。
【課題を解決するための手段】
【０００５】
上記の課題を解決するために、この発明は、蒸気通路の途中に設けた弁孔上に調圧ボールを載せ、その調圧ボールの自重と蒸気圧力とのバランスにより炊飯器の内部圧力を所定の圧力に設定する調圧装置を設けてなる炊飯器において、上記調圧装置に取付けた制振部材の一部を上記の調圧ボールに接触又は接近させ、該調圧ボールの振動を抑制するようにしたものである。
【０００６】
上記の構成によると、加圧炊飯時に調圧ボールが振動すると、制振部材に当接して振動が抑制される結果、騒音が減衰される。
【０００７】
上記の調圧装置は、上記の調圧ボールを収納する調圧室カバーを有し、上記制振部材をゴム部材により形成し、該制振部材を上記調圧室カバーに取付けた構成を採用することができる。
【０００８】
また、上記の制振部材としては、次のような構成をとることができる。即ち、（１）上記の調圧室カバーの上面部に取付けられる取付け部と、その取付け部の両端部から上記調圧ボールの両側に沿って下方に伸びる制振部と、各制振部の下部に設けられた係止部とにより形成し、上記制振部の下方に至るに従い外方に広がる傾斜を付与し、上記係止部を上記調圧室カバーの下部に係合した構成。
（２）円弧状にわん曲した制振部と、そのわん曲凸面の中央部に設けた取付け部とにより形成し、該取付け部を上記調圧室カバーの上面部に取付け、上記制振部を上記調圧ボールの上面に対向させた構成。
（３）円弧状にわん曲した制振部と、その両端部に設けた取付け部とにより形成し、各取付け部を上記調圧室カバーの対向した側面部に取付け、上記制振部のわん曲凹面を上記調圧ボールの上面に対向させた構成。
（４）上記の制振部材を左右一対の部材により形成し、各制振部材を、取付け部と制振部とにより形成し、各取付け部を上記調圧室カバーの両側にそれぞれ取付け、各制振部を上記調圧ボールの両側に対向させた構成。
【０００９】
なお、以上は調圧装置における騒音減衰手段であるが、これに加えて、該調圧装置よりも蒸気通路出口側に、通路の絞り部と拡大部とからなる消音装置を設けた構成を採用することができる。この構成によると、消音装置が調圧装置より出口側にあるので、調圧装置における前記の制振部材による騒音減衰効果に加え、消音装置の消音効果により、炊飯器の蒸気通路における騒音を一層効果的に減衰させることができる。
【発明の効果】
【００１０】
以上のように、この発明によれば、加圧炊飯に伴う調圧ボールの振動が抑制されるので、その振動音に伴う騒音が減衰され、静かな炊飯を行うことができる。また、蒸気通路の出側に消音装置を設置する構成を併用することにより、蒸気通路において発生する全体の騒音を減衰させることができる。
【発明を実施するための最良の形態】
【００１１】
以下、この発明を実施するための最良の形態を図面に基づいて説明する。
【実施例１】
【００１２】
図１に示した実施例１の炊飯ジャーは、開閉自在に取付けられた蓋１を有する。この蓋１は、蓋本体２の上部に蓋上板３を嵌着すると共に、蓋本体２の下面に放熱板セット４を着脱自在に取付けたものであり、蓋フック５によりジャー本体６に係合される。また、放熱板セット４は放熱板フック７により蓋本体２に係合される。上記の放熱板セット４は、蓋本体２の内部に装着された蓋ヒーター（図示省略）の熱をジャー本体６の炊飯鍋８側に放熱するために設けられる。
【００１３】
上記の放熱板セット４、蓋本体２及び蓋上板３により蒸気通路９が形成される。蒸気通路９の入口となる蒸気口１１は放熱板セット４に設けられ、蒸気通路９の出口となる蒸気孔１２が蓋上板３に設けられる。
【００１４】
上記の蒸気通路９の内部において、蒸気口１１の近くに調圧装置１３が組み込まれる。また、その調圧装置１３の出側におねば除去装置１４が設けられ、そのおねば除去装置１４と蒸気孔１２との間に消音装置１５が設けられる。
【００１５】
調圧装置１３は、前記の蒸気口１１の上方に設けられた弁座部材１６と、その上部に設けられた調圧室カバー１７と、調圧ボール１８、及びソレノイド１９とにより構成される。上記の弁座部材１６、調圧室カバー１７は放熱板セット４に設けられ、ソレノイド１９は蓋本体２に設けられる。上記の弁座部材１６と調圧室カバー１７との間に調圧室２１が形成され、その弁座部材１６に弁孔２２が形成される。調圧ボール１８は調圧室２１に収納され、調圧室カバー１７との間に所要の隙間をおき、通常は弁孔２２の周りに形成された案内リブ２３により弁孔２２を閉塞する安定位置にある。
【００１６】
上記のソレノイド１９の先端部が調圧室２１のスリット２４（図２参照）から内部に挿入され、その先端が調圧ボール１８の中心に向け接近して設けている。調圧作用が不要な場合においては、ソレノイド１９を調圧室２１の内方に向け突き出すことにより、調圧ボール１８を案内リブ２３上に押し上げ、弁孔２２を開放する。調圧作用を行わせる場合には、逆にソレノイド１９を外方に後退させ、調圧ボール１８を弁孔２２上に戻す。調圧作用は、調圧ボール１８の自重と、弁孔２２の部分に作用する蒸気圧力のバランスにより行われる。
【００１７】
このとき、前述の「背景技術」の項で説明したように、調圧ボール１８の振動により騒音が発生するが、これを抑制する制振構造については後述する。
【００１８】
前記のおねば除去装置１４は、サイクロン室２５と、サイクロンキャップ２６とにより構成される。サイクロン室２５は、その内周壁に接線方向に開放された吹き込み口３０が設けられる。サイクロンキャップ２６は、サイクロン室２５の上面に嵌着されてこれを閉塞する閉塞板２７と、その閉塞板２７を貫通して下方に伸びる排気筒２８とからなる。閉塞板２７の上面に排気筒２８と同芯の消音装置１５用の入口筒２９が上向きに一体に設けられる。閉塞板２７の上面において、入口筒２９の側方に側方案内筒３１が設けられる。
【００１９】
上記のサイクロン室２５にサイクロンキャップ２６を被せることにより、前記のおねば除去装置１４が構成される。このおねば除去装置１４において、吹き込み口３０からおねば混じりの蒸気が吹き込まれると、周壁の内面に沿う旋回が生じ、サイクロン作用により気液分離が行われ、おねばと蒸気が分離される。分離された蒸気は排気筒２８を通り入口筒２９を経て消音装置１５に吹き出される。
【００２０】
消音装置１５は、前記のサイクロンキャップ２６と、その閉塞板２７上に被せられた蒸気マフラー３２とにより構成される。蒸気マフラー３２は上端閉塞の円筒形をなし、中央部に下端開放の中央案内筒３３が設けられる。また、その中央案内筒３３と周壁３４との間の上端閉塞面に、上下両端が開放されたマフラー排気筒３５が設けられる。上記の周壁３４の下端縁が閉塞板２７の外周縁に着脱自在に嵌合される。中央案内筒３３は前記の入口筒２９の外側に嵌合され、またマフラー排気筒３５は前記の側方案内筒３１の内側に嵌合される。
【００２１】
上記の中央案内筒３３と入口筒２９の上下方向の間隔、両者の半径方向の間隔、及び中央案内筒３３の下端と閉塞板２７の上面との間隔は、蒸気の通過に支障を来さない範囲で狭い断面積をもつように形成され、蒸気の通路を縮小させる第１の絞り部３６となっている。
【００２２】
中央案内筒３３の外周面と周壁３４の内周面との間に広い空間が形成され、この部分が拡大部３７となっている。前記の絞り部３６は、中央案内筒３３の下端部において拡大部３７に連通される。
【００２３】
また、前記の側方案内筒３１の上端と蒸気マフラー３２の上端壁面との間隔、側方案内筒３１とマフラー排気筒３５の半径方向の間隔、マフラー排気筒３５の下端と閉塞板２７の上面との間隔は、蒸気の通過に支障を来さない範囲で狭い断面積をもつように形成され、蒸気の通路を縮小させる第２の絞り部３８となっている。
【００２４】
次に、前記の調圧装置１３における調圧ボール１８の制振構造について説明する。図３に示すように、調圧室カバー１７にゴム製の制振部材４２が取付けられる。この制振部材４２は、全体として一定幅をなし、下向きコの字状の左右対称形に屈曲形成されたものである。中央部が水平の取付け部４３となり、その両端部から若干外広がりに傾斜した制振部４４、４４が形成され、各制振部４４、４４の下端部に上向きに屈曲した係止部４６、４６が形成される。上記の各制振部４４、４４は、図４（ｅ）（ｆ）に示すように、後方（ソレノイド１９の位置と反対方向）に向けて狭くなるように、傾斜角θが付けられる。
【００２５】
上記の制振部材４２は、その取付け部４３が調圧室カバー１７の上面に左右方向に沿わされ、その両端部と制振部４４との間の屈曲部分が調圧室カバー１７に設けた一対のスリット４７、４７（図３参照）に挿通され、各制振部４４が調圧室カバー１７の内面から若干の隙間をおいて斜めに配置される。各制振部４４の下端部の係止部４６が、調圧室カバー１７の下端部に設けられた下向きの係合凹所４８に係合される。
【００２６】
前記の弁孔２２を閉塞した状態の調圧ボール１８は、前記の制振部４４の内面に対し、図３に示すように接触するか、又は接近する。また、図４（ｃ）に示すように、両側の制振部４４、４４は上方に向かって狭くなっているので、調圧ボール１８の上向きの運動を緩衝する作用を行う。また、前述のように、制振部４４、４４も傾斜角θで後方に向かって狭くなっているので、調圧ボール１８の後方向きの運動を緩衝する作用を行う。
【００２７】
実施例１の炊飯ジャーは以上のように構成され、次にその作用について説明する。炊飯の当初はソレノイド１９が内方に突き出して調圧ボール１８を案内リブ２３上に移動させ、弁孔２２を開放する。炊飯の進行により蒸発が生じる時期にソレノイド１９を後退させると、調圧ボール１８がその自重でもとの状態に戻り、弁孔２２を閉塞する。弁孔２２の部分に作用する蒸気圧力が一定以上に達すると、その圧力で調圧ボール１８を押し上げて弁孔２２を開放する。その開放により蒸気圧力が低下すると調圧ボール１８が再び弁孔２２を閉塞する。その閉塞により蒸気圧力が再び上昇すると、調圧ボール１８を押し上げる。このような調圧作用を繰返し、炊飯鍋８の内部を一定の加圧状態に維持して炊飯を行う。
【００２８】
上記の調圧作用により調圧ボール１８が振動した場合、調圧ボール１８はゴム製の制振部材４２の制振部４４、４４に当接してその振動が抑制される。
【００２９】
上記の調圧装置１３から出た蒸気は、おねば除去装置１４に入り、前述のサイクロン作用によりおねばが分離される。おねばはサイクロン室２５内に滞留し、蒸気は排気筒２８を通って消音装置１５に入る。消音装置１５に入った蒸気は、第１の絞り部３６を通過して拡大部３７に入り、さらに第２の絞り部３８を通り、マフラー排気筒３５、蒸気孔１２を経て外部に放出される。
【００３０】
消音装置１５には炊飯器の内部で発生する音、調圧装置１３，おねば除去装置１４等で発生する音が蒸気と同じ経路で通過して外部に放出されるが、各絞り部３６、３８、及びその途中の拡大部３７を通過する間に圧力損失をうけて、騒音レベルが低下する。
【００３１】
上記の制振部材４２及び消音装置１５の消音効果を確認するために、上記の実施例１と同じ構造の制振部材４２及び消音装置１５で実験した結果を次に示す。
【００３２】
〔実験条件〕
１．８リットル炊きのＩＨ型炊飯ジャーに３０００ｍｌの水を入れて沸騰させた。この時の蒸気孔１２近辺における騒音を、以下の実施品を用いて計測した。
（１）従来品：制振部材４２、消音装置１５共に装備せず
（２）本発明品Ａ：制振部材４２装備
（３）本発明品Ｂ：制振部材４２、消音装置１５共に装備
【００３３】
【表１】
0003657594.tif 000002
【実施例２】
【００３４】
次に、調圧ボール１８のその他の制振構造について説明する。図５（ａ）に示した実施例２の制振部材４２は、わん曲した制振部４４と、そのわん曲凸部側の中央部に設けた取付け部４３とからなる。その取付け部４３を調圧室カバー１７の上面部の内側に取付け、わん曲凹面を調圧ボール１８の上面に対向させる。わん曲した制振部４４の両端部を調圧ボール１８に接触させる。この接触面に同図（ｂ）のように、小突起４９を設けて点接触となるようにしてもよい。
【実施例３】
【００３５】
図６（ａ）（ｂ）に示した実施例３の制振部材４２は、半円弧状にわん曲した制振部４４と、その両端部に設けた取付け部４３とからなる。各取付け部４３を調圧室カバー１７の対向した側面部に取付け、制振部４４のわん曲凹面を調圧ボール１８の上半面に接触させる。
【実施例４】
【００３６】
図７（ａ）（ｂ）に示した実施例４の制振部材４２は、左右一対の組合わせにより形成される。各制振部材４２は、平面視ヘの字形に屈曲されて制振部４４と、その背面中央部に設けられた取付け部４３とにより形成される。制振部４４の前後両端部が調圧ボール１８の側面に接触される。同図（ｃ）に示したものは、中央部から前後方向に伸びた制振部４４がそれぞれ外方にわん曲しており、そのわん曲凸面が調圧ボール１８に接触するようになっている。
【００３７】
以上の図５から図７に示した実施例２から実施例４の各制振部材４２は、いずれも調圧ボール１８に接触するように配置しているが、接触することなく接近するように配置してもよい。いずれの場合も、調圧ボール１８が制振部４４に当接して、その振動が緩和されるので、振動に伴う騒音が抑制される。
【図面の簡単な説明】
【００３８】
【図１】実施例１の炊飯ジャー蓋部分の断面図
【図２】同上の放熱板セットの斜視図
【図３】同上の調圧装置部分の断面図
【図４】（ａ）同上の制振部材の平面図、（ｂ）同じく制振部材の正面図、（ｃ）同じく制振部材の断面図、（ｄ）同じく制振部材の側面図、（ｅ）（ｂ）図のｅ−ｅ線の断面図、（ｆ）（ｂ）図のｆ−ｆ線の断面図、（ｇ）（ｂ）図のｇ−ｇ線の断面図
【図５】（ａ）実施例２の断面図、（ｂ）実施例２の変形例の断面図
【図６】（ａ）実施例３の断面図、（ｂ）（ａ）図のｂ−ｂ線の断面図
【図７】（ａ）実施例４の断面図、（ｂ）（ａ）図のｂ−ｂ線の断面図、（ｃ）実施例４の変形例の断面図
【符号の説明】
【００３９】
１  蓋
２  蓋本体
３  蓋上板
４  放熱板
５  蓋フック
６  ジャー本体
７  放熱板フック
８  炊飯鍋
９  蒸気通路
１１  蒸気口
１２  蒸気孔
１３  調圧装置
１４  おねば除去装置
１５  消音装置
１６  弁座部材
１７  調圧室カバー
１８  調圧ボール
１９  ソレノイド
２１  調圧室
２２  弁孔
２３  案内リブ
２４  スリット
２５  サイクロン室
２６  サイクロンキャップ
２７  閉塞板
２８  排気筒
２９  入口筒
３０  吹き込み口
３１  側方案内筒
３２  蒸気マフラー
３３  中央案内筒
３４  周壁
３５  マフラー排気筒
３６  第１の絞り部
３７  拡大部
３８  第２の絞り部
３９、３９'  スリット
４１  スリット
４２  制振部材
４３  取付け部
４４  制振部
４６  係止部
４７  スリット
４８  係合凹所
４９  小突起
【図１】
0003657594.tif 000003
【図２】
0003657594.tif 000004
【図３】
0003657594.tif 000005
【図４】
0003657594.tif 000006
【図５】
0003657594.tif 000007
【図６】
0003657594.tif 000008
【図７】
0003657594.tif 000009